(57)【要約】【課題】小型で、確実にシールできる電気部品のシール構造を提供する。【解決手段】フラットケーブル１２，１３を内部に収容した第１コネクタ１０と、フラットケーブルと導通可能な端子を有しかつ第１コネクタに嵌合可能な第２コネクタ２０と、第１コネクタと第２コネクタとの間に介装されたシール部材２４と、フラットケーブルを第１コネクタ内部に押し付けるプラグ１４と、フラットケーブルと第１コネクタ間及びフラットケーブルとプラグ間に介在した防水シール１５，１６とを備え、第１コネクタへのプラグの押し付けに応じて防水シールが第１コネクタ内部に充填され、フラットケーブルと端子との導通接続部をコネクタ外部からシールする。【選択図】　　　　図３
2004022520.tif 000002
【特許請求の範囲】
【請求項１】
フラットケーブルを内部に収容した第１コネクタと、
前記フラットケーブルと導通可能な端子を有しかつ前記第１コネクタに嵌合可能な第２コネクタと、
前記第１コネクタと前記第２コネクタとの間に介装されたシール部材と、
前記フラットケーブルを前記第１コネクタ内部に押し付けるプラグと、
前記フラットケーブルと前記第１コネクタ間及び前記フラットケーブルと前記プラグ間に介在した防水シールとを備え、
前記第１コネクタへの前記プラグの押し付けに応じて前記防水シールが前記第１コネクタ内部に充填され、前記フラットケーブルと前記端子との導通接続部を前記第１コネクタ外部からシールすることを特徴とする電気部品のシール構造。
【請求項２】
ランプ収容用の内部空間を備えたハウジングと、
前記ハウジングと一体形成され、前記ハウジング内部に配索されかつ瑞部が前記ハウジング外部から導出して接点を形成する配線体と、
一端が前記接点に電気的に接続され、他端がランプに接続された端子を有するランプソケットとを備え、
前記配線体の端部と前記端子との導通接続部を前記ハウジング外部からシールするシール部材を備えたことを特徴とする電気部品のシール構造。
【請求項３】
内部に密閉された空間を有するハウジングと、
前記ハウジングに設けられ、前記ハウジング内部の密閉空間にランプを収容した複数のランプソケットを備え、
前記複数のランプソケットとそれぞれ電気的に導通する複数の配線体を前記ハウジングと一体形成により前記ハウジング内に配設し、
前記複数の配線体の各端部が前記ハウジングの局所位置から導出し、シール部材を介して外部コネクタと接続可能なことを特徴とする電気部品のシール構造。
【請求項４】
請求項２に記載のハウジングに請求項２に記載のランプソケットを複数備えたことを特徴とする請求項３に記載の電気部品のシール構造。
【請求項５】
前記防水シールがスリットを有し、前記フラットケーブルが前記スリットに挿通されていることを特徴とする、請求項１に記載の電気部品のシール構造。
【発明の詳細な説明】
【０００１】
【発明が属する技術分野】
本発明は電気部品のシール構造に関し、より詳細にはコネクタや、ランプユニットなどの電気部品のシール構造に関する。
【０００２】
【従来の技術】
従来から、自動車のエンジンルーム内には、ランプやＥＣＵ（エレクトロコントロールユニット）等の電気部品が搭載されている。そして、エンジンルームの下面は開口しており、例えば、雨天時などの走行時においては、路面に溜まった雨水のはね上がりにより水分が電気部品にシャワー状に降りかかる場合がある。このような場合に、電気部品を完全に防水シールしておかないと、電気部品のショートなど電気部品の故障につながる。従来から、このような防水構造を実現するために、ゴムのシールパッキンによりコネクタ部分をシールすることが一般に行われている。
【発明が解決しようとする課題】
しかしながら、ゴムパッキンによるシールは、電気部品の大型化を招くとともに、部品点数の増大につながり、コスト高を招く。
【０００３】
以下、図面に基づいて従来のランプコネクタのシール構造について説明する。従来のランプコネクタ５０のシール構造は、図７に示すように、ランプソケット５１と、ランプソケット５１が嵌合するランプハウジング５２と、ランプソケット内に挿通されたランプ用の端子５３，５４と、端子５３，５４の接点部に接続されたランプ５５とを備えている。そして、防水構造としては、ランプソケット５１とランプハウジング５２との間にシールパッキン５６が介装されるとともに、端子５３，５４とワイヤハーネスの端子部との間にそれぞれ１つずつシールパッキン（図示せず）を介装してシールされている。さらには、ランプコネクタ５０とワイヤハーネス側の相手側コネクタ（図中、二点鎖線）との間も、図示しないシール材でシールされている。したがって、シール部は、ランプソケットとコネクタ部、電線部の３カ所になる。このようにシール部分が多いので、シール部品の部品点数が多くなり、組付工数が増大したり、シール不良が発生し易い。
【０００４】
本発明は、以上の問題点にかんがみて、小型で、確実にシールできる電気部品のシール構造を提供することにある。
【０００５】
【課題を解決するための手段】
上述の課題を解決するために、本発明にかかる電気部品のシール構造は、フラットケーブルを内部に収容した第１コネクタと、フラットケーブルと導通可能な端子を有しかつ第１コネクタに嵌合可能な第２コネクタと、第１コネクタと第２コネクタとの間に介装されたシール部材と、フラットケーブルを第１コネクタ内部に押し付けるプラグと、フラットケーブルと第１コネクタ間及びフラットケーブルとプラグ間に介在した防水シールとを備え、第１コネクタへのプラグの押し付けに応じて防水シールが第１コネクタ内部に充填され、フラットケーブルと端子との導通接続部をコネクタ外部からシールすることを特徴としている。
【０００６】
フラットケーブルをプラグによって第１コネクタ内部に押し付けることで、プラグの押圧力がフラットケーブルに伝達される。フラットケーブルはその受圧面積が大きいためプラグの押圧力が均一に伝わり、フラットケーブル周囲の防水シール全体に均一に押圧力が伝わる。その結果、防水シール全体がフラットケーブル周囲空間に充填され、フラットケーブルと端子との導通接続部をコネクタ外部から確実にシールする。
【０００７】
また従来のゴム栓を使うことなく、フラットケーブルの防水を行うことができるので、フラットケーブル表面の凹凸をくまなくシールできると共に防水部分の小型化を図ることができる。
【０００８】
また、請求項２に記載の本発明にかかる電気部品のシール構造は、ランプ収容用の内部空間を備えたハウジングと、ハウジングと一体に形成され、ハウジング内部に配索されかつ瑞部が前記ハウジング外部から導出して接点を形成する配線体と、一端が前記接点に電気的に接続され、他端がランプに接続された端子を備えたランプソケットとを備え、配線体の端部と端子との導通接続部をハウジング外部からシールするシール部材を備えたことを特徴としている。
【０００９】
配線体がハウジングと一体に形成され、かつハウジング内部に配索されており、配線体の端部とランプソケットの端子との導通接続部がシール部材によってハウジング外部からシールされているので、防水箇所が少なくて済む。すなわち、単一のシール部材でランプソケットをシールでき、部品点数の削減を図ることができる。また、ランプの玉切れなどによる電球交換時にコネクタの差し替え作業を必要とせず、電球交換作業の容易化を図ることができる。
【００１０】
また、請求項３に記載の本発明にかかる電気部品のシール構造は、内部に密閉された空間を有するハウジングと、ハウジングに設けられ、ハウジング内部の密閉空間にランプを収容した複数のランプソケットとを備え、複数のランプソケットとそれぞれ電気的に導通する複数の配線体を前記ハウジングと一体形成により前記ハウジング内に配設し、複数の配線体の各端部がハウジングの局所位置から導出し、シール部材を介して外部コネクタと接続可能なことを特徴としている。
【００１１】
複数の配線体の各端部がハウジングの局所位置から導出し、シール部材を介して外部コネクタと接続可能となっているので、各ランプソケットそれぞれにワイヤハーネスを接続する必要がない。従って、複数のランプソケットを備えていても一箇所のコネクタ接続で済むのでワイヤハーネス接続作業の低減を図ることができる。また、このコネクタ部分のみをシールすれば十分で各ランプソケットに特別に防水タイプのコネクタを接続する必要がないので、コスト低減に貢献する。
【００１２】
また、請求項４に記載の本発明にかかる電気部品のシール構造は、請求項２に記載のハウジングに請求項２に記載のランプソケットを複数備えた請求項３に記載の電気部品のシール構造である。
【００１３】
ランプユニットに備わった複数のランプソケットのそれぞれに請求項２に記載のランプソケットを使用しているので、シール性を確保しつつ部品点数の削減を図ることができる。また、ランプの玉切れなどによる電球交換時にコネクタの差し替え作業を必要とせず、電球交換作業の容易化を図ることができる。
【００１４】
また、請求項５に記載の本発明にかかる電気部品のシール構造は、請求項１に記載の電気部品のシール構造において、防水シールがスリットを有し、フラットケーブルがスリットに挿通されることを特徴としている。
【００１５】
防水シールがスリットを有し、フラットケーブルがスリットに挿通されているので、プラグを第１コネクタ内に押し込むとフラットケーブル周囲が防水シールで確実に囲繞されフラットケーブルと第１コネクタ及びプラグ間を確実にシールできる。
【００１６】
【発明の実施の形態】
本発明の第一の実施形態に係る電気部品のシール構造は、コネクタ１のシール構造に関するものである。具体的には、図３に示すように、フラットケーブル１２，１３を内部に収納した雄コネクタ１０と、雄コネクタ１０に導通接続する端子２２を有した雌コネクタ２０と、両コネクタ間を防水シールするシールパッキン２４を備えている。雄コネクタ１０はさらに、フラットケーブル１２，１３を雄コネクタ内部に押し込むためのプラグ１４を有している。また、雄コネクタ１０とフラットケーブル１２，１３間、及びフラットケーブル１２，１３とプラグ１４間にはそれぞれジェル状の防水シール１５，１６が備わっている。
【００１７】
以下、図１から図３に基づいて各構成要素を説明する。なお、図３において、コネクタ１の左半分（二点鎖線の左側）は、ＥＣＵやランプなどの、電気部品の内部になっており、コネクタ１の右半分（二点鎖線の右側）は、フラットケーブル１２，１３の導出部分、すなわち、水滴等が飛散する例えばエンジンルーム内になっている。
【００１８】
図１に示すように、雄コネクタ１０はコネクタハウジング１１とこれに挿通収容されたフラットケーブル１２，１３を備えている。なお、フラットケーブル１２，１３はそれぞれ複数本（例えば５本）互いに等間隔隔ててコネクタハウジング１１に端面視で並列に挿入配置されている。そして、以下の説明ではそのうちの一対のフラットケーブル１２，１３について行う。
【００１９】
コネクタハウジング１１は樹脂でできており、端面視矩形形状を有しかつ先端部が側面視で先細り形状を有している。コネクタハウジング１１の内部には、２つのフラットケーブル挿通空間１１ｃ，１１ｄが形成されている。すなわち、コネクタハウジング１１の端部内部には中央部に架橋部１１ｅが備わり、これによってフラットケーブル１２，１３の通路がそれぞれ独立して形成され、互いのフラットケーブル端部を電気的に絶縁している。
【００２０】
コネクタハウジング１１の内部中央には段部１１ａが設けられている。段部１１ａは、雄コネクタ１０とフラットケーブル間に介在する第１の防水シール１５を収納する役割を果たしている。また、プラグ１４もこの段部１１ａに対応する段部１４ａを有し、この段部１４ａとフラットケーブル間にも第２の防水シール１６が介在するようになっている。
【００２１】
防水シール１５，１６は、スポンジ形状を有した四角角型の枠形状を備え、内部にシリコン液を含有している。そして、防水シール１５，１６を一定の圧力以上で圧縮すると、内部のシリコン液が外部にしみ出してくるようになっている。
【００２２】
雄コネクタ１０の先端部に形成された、フラットケーブル通路形成用の架橋部１１ｅは両持梁形状を有し、上述の通りフラットケーブル先端部を互いに接触させない役目を果たしている。なお、フラットケーブル１２，１３の先端部は、相手側の端子と電気的に接触可能なように導体部が露出しており、後述する雌コネクタの端子２２，２３と接触することができる。
【００２３】
続いて、図２に示す雌コネクタ２０について説明する。雌コネクタ２０は雄コネクタ１０を収容する樹脂製の雌コネクタハウジング２１と、雌コネクタハウジング内に一体成型された端子２２，２３と、雌コネクタハウジング２１に形成された段部２１ａに係合しているゴム製のシールパッキン２４とを備えている。なお、端子２２，２３は、雌コネクタ２０の幅方向（図２中紙面と垂直方向）に互いに電気的に絶縁された状態で併設されている。従って、図２では一方のコネクタ２２のみが図示されている。また、端子２２，２３の先端部には互いに対向する凸部２２ａ，２３ａが形成され、雄コネクタ１０を雌コネクタ２０に押し込むと、雄コネクタ先端部のフラットケーブル１２，１３がそれぞれ、端子２２の先端部に押し付けられて機械的に結合するようになっている。
【００２４】
また、端子２２の先端部２２ａは一方のフラットケーブル（例えばフラットケーブル１２）のみと電気的に導通し、端子２３の先端部２３ａは他方のフラットケーブル（例えばフラットケーブル１３）のみと電気的に導通するようになっている。
【００２５】
雌コネクタ２０の、雄コネクタ挿入側端部開口部には、雄コネクタ１０とのラッチ係合爪２５が形成されている。この係合爪２５は片持ち梁状で可撓性を有し、対応する雄コネクタ１０の凹部１１ｂと係合し合うようになっている。
【００２６】
なお、上述したように雄コネクタハウジング１１と雌コネクタハウジング２１は共に樹脂でできているが、絶縁性と強度性を有すればこの材質に限定されることはない。
【００２７】
続いて、雄コネクタ１０と雌コネクタ２０との嵌合について説明する。まず最初に、雄コネクタ１０に防水シール１５を収容し、フラットケーブル１２，１３を挿入した状態で防水シール１６を備えたプラグ１４を雄コネクタ１０内に位置決めする。そして、雄コネクタ１０を雌コネクタ２０に挿入していく。この挿入過程で雌コネクタ２０のラッチ係合爪２５が撓んだ後、雄コネクタ１０の凹部１１ｂに係合してコネクタ間の嵌合が行われる。
【００２８】
プラグ１４は、雄コネクタ１０の基端側開口部（図中右側）から挿入されて雄コネクタ内に押し込まれると、雄コネクタ内にすでに挿通されたフラットケーブル１２，１３の一部を折り曲げながら、フラットケーブル全体を雄コネクタ１０の先端側に押し込んでいく。プラグ１４をこのように雄コネクタ１０の内部に押し込むと、２つの防水シール１５，１６がフラットケーブル１２，１３とプラグ１４、コネクタハウジングの段部１１ａによって全体的に圧縮され防水シール全体からシリコン液がしみ出す。そして、プラグ１４とフラットケーブルとの間、及びフラットケーブルと雄コネクタ１０との間の空間にシリコン液が充填され、雄コネクタ外部から雄コネクタ内部への水分の侵入を阻止する（水密を保つ。）。
【００２９】
なお、図３は雄コネクタ１０と雌コネクタ２０が嵌合し合った状態を示している。この嵌合状態では、雄コネクタ１０は雌コネクタ２０のラッチ係合爪２５と係合するとともに、雄コネクタ１０と雌コネクタ２０との間のシールパッキン２４が圧縮されてこの部分のシール性を確保している。また、雄コネクタ１０のフラットケーブル１２，１３はそれぞれ雌コネクタ２０の端子２２，２３にしっかりと押し付けられて各導体間の接触性が確保されている。そして、上述した通りプラグ１４は雄コネクタ内部に押し付けられており、プラグ１４を挟み込む２つの防水シール１５，１６はこのプラグ１４の押し付けによってつぶされ、内部からしみ出したシリコン液がこの部分の隙間に充填され、シール性を確保している。
【００３０】
上述したフラットケーブル１２，１３は複数の導線を並列に一体化したもので幅方向に細かな凹凸が連続するが、防水シール１５，１６から流出したシリコン液がこの細かな凹凸に入り込んでシールするので、従来のゴムパッキンに比べてシール性が格段に向上する。
【００３１】
なお、プラグ１４は雄コネクタ１０を雌コネクタ２０に嵌合する前に雄コネクタ内に挿入しても良く、雄コネクタ１０を雌コネクタ２０に嵌合すると同時に雄コネクタ内に挿入しても良い。しかしながら、後者の方がコネクタ間の嵌合と雄コネクタ内のシールを同時に行うことができ、作業性の観点から好ましい。
【００３２】
以上のように本発明の第１の実施形態にかかる防水シール構造は、プラグ１４を雄コネクタ内部に押し付けながら雌コネクタ２０に雄コネクタ１０を押し込むと、防水シール１５，１６が圧縮されてこの中に含有されたシリコン液がしみ出して雄コネクタ内のすき間を覆うになっている。そして、防水シール１５，１６とフラットケーブル１２，１３とはフラットケーブル１２，１３が、幅広の形状を有しているので、プラグ１４の押圧力がフラットケーブル１２，１３に均一に作用し、防水シール１５，１６を均一に圧縮することによって、防水シール内のシリコン液が無駄なく外部にしみ出して防水シール近傍のフラットケーブル全体に行きわたるようになっており、これによって、シール性の向上を図ることができる。
【００３３】
なお、上述の実施形態では、防水シール１５，１６は、矩形枠状の大きな第１の防水シール１５と、同じく矩形枠状の小さな第２の防水シール１６とから構成され、これらの防水シール間でフラットケーブルを挟み込むような構成になっていたが、防水シールが必ずしもこのように２つの防水シール１５，１６から構成される必要はなく、例えば、図４に一部断面斜視図で示すように、矩形枠形状を有した単一の防水シール１７に端面視斜めのスリット１７ａ，１７ｂを上下に１つずつ設け、この２つのスリット１７ａ，１７ｂにフラットケーブル１２，１３をそれぞれ挿入してプラグ１４を押し込むようにしても良い。スリット１７ａ，１７ｂが端面視斜めに形成されているので、プラグ１４を雄コネクタ１０に押し込んだとき、フラットケーブル１２，１３を挟み込んだ防水シール１７が雄コネクタハウジングの段部１１ａ及びプラグの段部１４ａによって押圧され、内部のシリコン液が均一にしみ出してこの部分を確実にシールする。そして、このように防水シールを一部品にすれば部品点数の削減につながり、コスト低減に貢献する。
【００３４】
なお、かかるスポンジ状防水シールの代わりにシリコン液などの防水剤を薄いチューブに充填したものを防水シールとして雄コネクタ内部に収容し、プラグの押圧力によってこのチューブが破れてシリコン液が流出するようにしても良い。
【００３５】
以上の通り説明したように、本発明の第一の実施形態にかかる電気部品のシール構造は、雌コネクタ２０に雄コネクタ１０を押し込むと同時に、プラグ１４を雄コネクタ１０の内部に押し込むだけで、コネクタ内部の接点を外部から完全にシールすることができる。したがって、電気部品の小型化を図るとともに、部品点数を削減したシール構造を達成することができる。
【００３６】
続いて、本発明の第二の実施形態にかかる電気部品のシール構造について説明する。本実施形態にかかる電気部品のシール構造は、図５に示すように、ランプユニット４０にランプソケット３０を組み付けた場合の防水シール構造を具現化したものである。ランプユニット４０は、ランプ収容用の内部空間を備えかつ配線体が一体成型されたランプハウジング４１と、ランプハウジング４１の接点部４２，４３に導通接続する端子３２，３３及び端子３２，３３に接続されたランプ３５を備えている。ランプハウジング４１は、樹脂でできておりランプハウジング４１の照射面と反対側の面には、ランプソケット嵌めこみ用の凹部４１ａが形成されている。そして、凹部４１ａの周囲には反射板としての凸条４１ｂが形成されている。ランプソケット嵌め込み用の凹部４１ａには、ハウジング４１と一体形成された２本の配線体４４，４５の端部がそれぞれ露出しており、これが後述するランプソケット３０の端子部の一端とそれぞれ電気的に接続するようになっている。
【００３７】
ランプソケット３０の本体は、プレート状のボディ３１と、ボディ３１の中央からランプユニット側に突出成型されたランプ収容部３１ａと、このランプ収容部３１ａと反対面に形成された凸部３１ｂとを備えている。
【００３８】
また、ボディ３１のランプハウジング４１側には全周に亘ってシールパッキン用の溝部３１ｃが形成され、溝部３１ｃにゴム製シールパッキン３４が嵌装されている。また、ランプ収容部３１ａの先端部には、前述した配線体４４，４５の端部と一端が接続し他端がランプ３５と電気的に接続するようになった端子３２，３３がそれぞれ設けられている。そして、これらの端子３２，３３は片方がプラス側となりもう片方がマイナス側となっており、配線体４４，４５を介して供給された電力によってランプ３５を点灯または点滅するようになっている。また、図に二点鎖線で示す部分は、ランプユニット４０のガラス面４６であり、ランプ３５は、ランプハウジング４１とランプのガラス面４６との間に密閉収容されている。
【００３９】
以上の構成を有することによって、ランプソケット３０とランプハウジング４１とのシールはシールパッキン３４のみの使用で済む。従って、シールのための部品点数が１点で済み、部品点数を削減するとともに、シールの信頼性を向上させることができる。
【００４０】
続いて、このように構成されたランプソケット部分を有するランプユニット４０の全体図について説明する。この全体図は、図６に示すように、ランプユニット４０のハウジング４１に電流を流すフラット状のバスバーＢがハウジング４１との一体成型により埋設されており、その一端部はランプユニット４０の片側端部から導出している。この図ではランプＬが３つ備わっており、バスバーＢもそれに応じて各ランプＬの点灯または点滅のために互いに電気的に独立した４本のバスバーＢ（個々には図示せず）がハウジング４１に一体に設けられている。なお、１本のバスバーＢは共通のアース端子を形成している。そして、これらの互いに独立したバスバーＢの端部ＢＥは、前述したランプユニット４０の局所位置（図中右端部）から導出している。
【００４１】
従って、以上のような構成を有することで従来のように各ランプソケット毎に電線を這わせる必要が全く無く、それに用いる複数のコネクタ用シール部材を介装する必要も無い。また、端子ＢＥをランプユニット端部からまとめて１つのコネクタに接続できるようになっているので、この部分でのシール性を確保することと、各電線ソケットにおいてそれぞれ１つのシール部材を介装するだけで、ランプユニット全体をシールすることが可能となる。そのため、ランプユニット４０の組み付けが容易になるとともに、防水性が従来のランプユニット４０よりも格段に向上し、製品の信頼性を高めることができる。
【００４２】
なお、図６に示すように、ランプユニット４０は、その反射特性を理想的な特性とすべく、反射面が複雑なリブ形状になっている。即ち、ランプソケット３０の取付部が複雑なリブ形状を有しており、これによって、従来では各ランプソケットを装着しながら、各ランプソケットの端子にワイヤハーネスを接続しようとするので組み付け作業に非常に手間がかかっていた。しかしながら、本実施形態におけるランプユニット４０を用いれば、かかる組み付け作業に関しては、ランプソケット３０をランプユニット４０に嵌め込むだけで済み、更なるワイヤハーネスの個別接続を必要としないので、作業性が格段に向上する。
【００４３】
【発明の効果】
以上説明したように、本発明にかかる電気部品のシール構造は、プラグによってフラットケーブルを第１コネクタ内部に押し付けることで、プラグの押圧力がフラットケーブルに伝達される。フラットケーブルはその受圧面積が大きいためプラグの押圧力が均一に伝わり、フラットケーブル周囲の防水シールにも均一に押圧力が伝わることでフラットケーブル全周に防水シールが密着し、フラットケーブルと端子との導通接続部をコネクタ外部から確実にシールする。
【００４４】
また、請求項２に記載の本発明にかかる電気部品のシール構造は、配線体がハウジングと一体に形成され、かつハウジング内部に配索されており、配線体の端部とランプソケットの端子との導通接続部がシール部材によってハウジング外部からシールされているので、防水箇所が少なくてすむ。すなわち、単一のシール部材でランプソケットをシールでき、部品点数の削減を図ることができる。また、ランプの玉切れなどによる電球交換時にコネクタの差し替え作業を必要とせず、電球交換作業の容易化を図ることができる。
【００４５】
また、請求項３に記載の本発明にかかる電気部品のシール構造は、複数の配線体の各端部がハウジングの局所位置から導出し、シール部材を介して外部コネクタと接続可能となっているので、各ランプソケットそれぞれにワイヤハーネスを接続する必要がなく、複数のランプソケットであっても一箇所のコネクタ接続で済むのでワイヤハーネス接続作業の低減を図ることができる。また、この部分をシールすればよく各ランプソケットに防水タイプのコネクタを接続する必要がないので、コスト低減に貢献する。
【００４６】
また、請求項４に記載の本発明にかかる電気部品のシール構造は、ランプユニットに複数備えたランプソケットのそれぞれに請求項２に記載のランプソケットを使用しているので、シール性を確保しつつ部品点数の削減を図ることができる。また、ランプの玉切れなどによる電球交換時にコネクタの差し替え作業を必要とせず、電球交換作業の容易化を図ることができる。
【００４７】
また、請求項５に記載の本発明にかかる電気部品のシール構造は、請求項１に記載の電気部品のシール構造において、防水シールがスリットを有し、フラットケーブルがスリットに挿通されているので、プラグを第１コネクタ内に押し込むとフラットケーブル周囲が防水シールで確実に囲繞されフラットケーブルと第１コネクタ及びプラグ間を完全にシールできる。
【図面の簡単な説明】
【図１】本発明の第１の実施形態にかかる電気部品のシール構造における雄コネクタの断面図である。
【図２】本発明の第１の実施形態にかかる電気部品のシール構造における雌コネクタの断面図である。
【図３】図１の雄コネクタと図２の雌コネクタとが嵌合した状態を示す断面図である。
【図４】図１の実施形態における防水シールの変形例を示した一部破断斜視図である。
【図５】本発明の第２の実施形態にかかる電気部品のシール構造におけるランプソケットの断面図である。
【図６】本発明の第２の実施形態にかかる電気部品のシール構造におけるランプユニットの断面図である。
【図７】従来のランプユニットのランプソケット部における断面図である。
【符号の説明】
１　　コネクタ
１０　　雄コネクタ
１１　　コネクタハウジング
１１ａ　　段部
１１ｂ　　凹部
１１ｃ，１１ｄ　　フラットケーブル挿通空間
１１ｅ　　架橋部
１２，１３　　フラットケーブル
１４　　プラグ
１５，１６　　防水シール
１７　　防水シール
２０　　雌コネクタ
２１　　コネクタハウジング
２１ａ　　段部
２２　　端子
２２ａ　　凸部
２４　　シールパッキン
２５　　ラッチ係合爪
３０　　ランプソケット
３１　　ボディ
３１ａ　　ランプ収容部
３１ｂ　　凸部
３１ｃ　　溝部
３２，３３　　端子
３４　　シールパッキン
３５　　ランプ
４０　　ランプユニット
４１　　ランプハウジング
４１ａ，４１ｂ　　凹部
４２，４３　　接点部
４４，４５　　配線体
４６　　ガラス面
Ｌ　　ランプ
Ｂ　　バスバー
ＢＥ　　端子
【図１】
2004022520.tif 000003
【図２】
2004022520.tif 000004
【図３】
2004022520.tif 000005
【図４】
2004022520.tif 000006
【図５】
2004022520.tif 000007
【図６】
2004022520.tif 000008
【図７】
2004022520.tif 000009